【手続補正書】
【提出日】平成17年6月30日(2005.6.30)
【手続補正１】
【補正対象書類名】明細書
【補正対象項目名】全文
【補正方法】変更
【補正の内容】
【書類名】明細書
【発明の名称】ティシュペーパーおよびティシュペーパーを収納した製品
【特許請求の範囲】
【請求項１】二枚重ねで一組としたティシュペーパーであって、
その一枚の、米坪が１０〜１３ｇ／ｍ2であり、ＪＩＳ  Ｐ  ８１４１に準じて幅２５ｍｍ、吸水時間６０秒の条件で測定したクレム吸水度の縦横平均値が１０ｍｍ以上であり、かつ、次記の（Ａ）の条件を満たすことを特徴とするティシュペーパー。
（Ａ）人工皮革により構成した接触平面にオリーブオイルを均一に塗布し測定した摩擦係数の平均偏差で表される表面特性の縦横平均が、０．０７５以下であること。
【請求項２】（Ａ）の条件が、
人工皮革により構成した１０ｍｍ四方の接触平面にオリーブオイル４ｍｇを均一に塗布し、この接触平面全体を５０ｇ／ｃｍ2の接触圧で、人工皮革により構成した水平測定面上に固定した紙試料に接触させ、この状態で前記紙試料に移動方向に２０ｇ／ｃｍの張力を与えつつ前記接触平面の長さ方向または幅方向と直交する方向に、０．１ｃｍ／秒の速度で前記紙試料を前記水平測定面ごと２ｃｍ移動させたときの摩擦係数の平均偏差で表される表面特性の縦横平均が、０．０７５以下であること、
である請求項１記載のティシュペーパー。
【請求項３】一枚のティシュペーパーを、圧縮断面積２ｃｍ2の円形平面をもつ鋼板にて、圧縮荷重５０ｇｆ／ｃｍ2で前記ティシュペーパーを圧縮したときの厚みＴＭが０．０９０ｍｍ以上である請求項１または２記載のティシュペーパー。
【請求項４】一枚での湿潤引張強度が、縦５０〜１５０ｃＮ／２５ｍｍ幅、横３０〜６０ｃＮ／２５ｍｍ幅であり、かつ、二枚重ねでの湿潤破裂強度が４．０ｇｆ以上である請求項１〜３の何れか１項に記載のティシュペーパー。
【請求項５】一枚での乾燥引張強度が、縦２００〜４００ｃＮ／２５ｍｍ幅、横９０〜１５０ｃＮ／２５ｍｍ幅である請求項１〜４の何れか１項に記載のティシュペーパー。
【請求項６】ティシュペーパー原紙の主原料がパルプ繊維からなり、脂肪酸エステルを含む界面活性剤を有効成分（固形分）で０．１〜１０．０ｋｇ／Ｔ添加した請求項１〜５の何れか１項に記載のティシュペーパー。
【請求項７】二枚重ねで一組としたティシュペーパーがポップアップ方式で折り畳まれて、ＪＩＳ  Ｓ  ３１０４に規定される一つの収納箱に収納されているティシュペーパーを収納した製品であって、
前記ティシュペーパー一枚の、米坪が１０〜１３ｇ／ｍ2であり、ＪＩＳ  Ｐ  ８１４１に準じて幅２５ｍｍ、吸水時間６０秒の条件で測定したクレム吸水度の縦横平均値が１０ｍｍ以上であり、かつ、次記の（Ｂ）の条件を満たすことを特徴とするティシュペーパーを収納した製品。
（Ｂ）人工皮革により構成した接触平面にオリーブオイルを均一に塗布し測定した摩擦係数の平均偏差で表される表面特性の縦横平均が、０．０７５以下であること。
【請求項８】（Ｂ）の条件が、
人工皮革により構成した１０ｍｍ四方の接触平面にオリーブオイル４ｍｇを均一に塗布し、この接触平面全体を５０ｇ／ｃｍ2の接触圧で、人工皮革により構成した水平測定面上に固定した紙試料に接触させ、この状態で前記紙試料に移動方向に２０ｇ／ｃｍの張力を与えつつ前記接触平面の長さ方向または幅方向と直交する方向に、０．１ｃｍ／秒の速度で前記紙試料を前記水平測定面ごと２ｃｍ移動させたときの摩擦係数の平均偏差で表される表面特性の縦横平均が、０．０７５以下であること、
である請求項７記載のティシュペーパーを収納した製品。
【請求項９】一枚のティシュペーパーを、圧縮断面積２ｃｍ2の円形平面をもつ鋼板にて、圧縮荷重５０ｇｆ／ｃｍ2で前記ティシュペーパーを圧縮したときの厚みＴＭが０．０９０ｍｍ以上である請求項７または８記載のティシュペーパーを収納した製品。
【請求項１０】一枚での湿潤引張強度が、縦５０〜１５０ｃＮ／２５ｍｍ幅、横３０〜６０ｃＮ／２５ｍｍ幅であり、かつ、二枚重ねでの湿潤破裂強度が４．０ｇｆ以上である請求項７〜９の何れか１項に記載のティシュペーパーを収納した製品。
【請求項１１】一枚での乾燥引張強度が、縦２００〜４００ｃＮ／２５ｍｍ幅、横９０〜１５０ｃＮ／２５ｍｍ幅である請求項７〜１０の何れか１項に記載のティシュペーパーを収納した製品。
【請求項１２】ティシュペーパー原紙の主原料がパルプ繊維からなり、脂肪酸エステルを含む界面活性剤を有効成分（固形分）で０．１〜１０．０ｋｇ／Ｔ添加した請求項７〜１１の何れか１項に記載のティシュペーパーを収納した製品。
【発明の詳細な説明】
【０００１】
【発明の属する技術分野】
本発明は、ティシュペーパーおよびそのティシュペーパーを収納した物品に関する。
【０００２】
【従来の技術】
ティシュペーパーは、上面にスリット状の取り出し口を備えたカートンと呼ばれる収納箱に収納されて市販に供されている。一般に、ティシュペーパーは、二枚重ねで一組とした状態いわゆる２プライとされ、収納箱の上面の窓に貼着されたフィルムのスリットを通して、ティシュペーパーの一枚を取り出すと次の一枚の一部が外部に露出されて次回の取り出しが容易になされるようにしたいわゆるポップアップ方式で折り畳まれて収納箱に収納されている。
【０００３】
このようにして市販に供されているティシュペーパーには、一般に５個パックなどで市販され鼻かみに限らず各種の汚れの拭き取り等にも使用される汎用タイプや、肌に直接触れる用途に特化したソフトタイプと呼ばれるものなどがある。前記汎用タイプのものは、使用頻度も非常に高く消費量も多いことから安価であることが重視され、米坪が１０〜１３ｇ／ｍ2程度である。また、持ち運びに便利なようにコンパクトな収納箱に収められることも重視される。一方、前記ソフトタイプのティシュペーパーは、コンパクトにすることやコストよりも、人の肌に触れたときのやわらかさや滑らかさなどが重視され、米坪が１３ｇ／ｍ2以上であるものが多い。
【０００４】
【発明が解決しようとする課題】
しかしながら、消費者のティシュペーパーの実際の使用状況を調査してみると、例えば、花粉症の発祥時季や風邪を患ったときなど頻繁に鼻水を拭かなければならない状況などではソフトタイプのティシュペーパーを購入して使用するが、普段は汎用タイプのもので鼻をかんだり鼻水を拭いたりすることがおおく、この種の用途に汎用タイプのティシュペーパーが使用されることも極めて多いことが知見された。従って、汎用タイプのティシュペーパーにおいて、鼻をかむときなどの使用感を向上させ、ソフトタイプに近いあるいはほぼ同様の使用感にすることには重要な意義がある。
【０００５】
そこで、本発明は、安価な汎用のティシュペーパーにおいて、従来の安価であることやコンパクトにしやすいという利点を損なわずに、鼻をかむときなど特に皮脂の分泌量の多い部位の体液の拭き取りに使用するさいの使用者の使用感（滑らかさ感）を高めることにある。
【０００６】
【課題を解決するための手段】
上記課題を解決するための本発明は、次記のとおりである。
＜請求項１項記載の発明＞  
二枚重ねで一組としたティシュペーパーであって、
その一枚の、米坪が１０〜１３ｇ／ｍ2であり、ＪＩＳ  Ｐ  ８１４１に準じて幅２５ｍｍ、吸水時間６０秒の条件で測定したクレム吸水度の縦横平均値が１０ｍｍ以上であり、かつ、次記の（Ａ）の条件を満たすことを特徴とするティシュペーパー。
（Ａ）人工皮革により構成した接触平面にオリーブオイルを均一に塗布し測定した摩擦係数の平均偏差で表される表面特性の縦横平均が、０．０７５以下であること。
【０００７】
（作用効果）
本発明は、二枚重ね一組とされてポップアップ形式で折り畳まれてカートンに収納される汎用タイプのティシュペーパーである。洟等の体液を拭き取るさいに重要なのは、紙と皮膚との摩擦係数のばらつきが小さく滑らかさ感がありかつ吸水性に優れることである。上記の規定値を満たす本発明のティシュペーパーは、鼻の周りなど比較的の皮脂が多く存在する部位での滑らかさに優れ、かつ、吸水性にも優れるため体液の拭き取り性に優れる。
【０００８】
＜請求項２項記載の発明＞
（Ａ）の条件が、
人工皮革により構成した１０ｍｍ四方の接触平面にオリーブオイル４ｍｇを均一に塗布し、この接触平面全体を５０ｇ／ｃｍ2の接触圧で、人工皮革により構成した水平測定面上に固定した紙試料に接触させ、この状態で前記紙試料に移動方向に２０ｇ／ｃｍの張力を与えつつ前記接触平面の長さ方向または幅方向と直交する方向に、０．１ｃｍ／秒の速度で前記紙試料を前記水平測定面ごと２ｃｍ移動させたときの摩擦係数の平均偏差で表される表面特性の縦横平均が、０．０７５以下であること、
である請求項１記載のティシュペーパー。
【０００９】
＜作用効果＞
本発明は、二枚重ね一組とされてポップアップ形式で折り畳まれてカートンに収納される汎用タイプのティシュペーパーである。洟等の体液を拭き取るさいに重要なのは、紙と皮膚との摩擦係数のばらつきが小さく滑らかさ感がありかつ吸水性に優れることである。上記の規定値を満たす本発明のティシュペーパーは、鼻の周りなど比較的の皮脂が多く存在する部位での滑らかさに優れ、かつ、吸水性にも優れるため体液の拭き取り性に優れる。
【００１０】
＜請求項３項記載の発明＞
一枚のティシュペーパーを、圧縮断面積２ｃｍ2の円形平面をもつ鋼板にて、圧縮荷重５０ｇｆ／ｃｍ2で前記ティシュペーパーを圧縮したときの厚みＴＭが０．０９０ｍｍ以上である請求項１または２記載のティシュペーパー。
【００１１】
＜作用効果＞
上記の規定値を持つティシュペーパーは、手に触れ、また肌に触れるとき、十分な厚み感を与え、いわゆる「ふっくら」感（ふんわりした厚み感）を持つものとなる。
【００１２】
＜請求項４項記載の発明＞
一枚での湿潤引張強度が、縦５０〜１５０ｃＮ／２５ｍｍ幅、横３０〜６０ｃＮ／２５ｍｍ幅であり、かつ、二枚重ねでの湿潤破裂強度が４．０ｇｆ以上である請求項１〜３の何れか１項に記載のティシュペーパー。
【００１３】
＜作用効果＞
湿潤引張強度が上記規定値にあるものは、ティシュペーパーが吸水した状態で引っ張られる状況、例えば洟等の体液を拭き取るさいにおける、ティシュペーパーの破れが生じにくくなる。また、湿潤破裂強度が上記の規定にあるものは、ティシュペーパーに湿潤物質が強く吹き付けられる状況、例えば、洟をかむさいなどにおける、ティシュペーパーの破れが生じにくくなる。
【００１４】
＜請求項５項記載の発明＞
一枚での乾燥引張強度が、縦２００〜４００ｃＮ／２５ｍｍ幅、横９０〜１５０ｃＮ／２５ｍｍ幅である請求項１〜４の何れか１項に記載のティシュペーパー。
【００１５】
＜作用効果＞
使用時の柔らかさと破れにくさに優れる。
【００１６】
＜請求項６項記載の発明＞
ティシュペーパー原紙の主原料がパルプ繊維からなり、脂肪酸エステルを含む界面活性剤を有効成分（固形分）で０．１〜１０．０ｋｇ／Ｔ添加した請求項１〜５の何れか１項に記載のティシュペーパー。
【００１７】
＜作用効果＞
ティシュペーパーが脂肪酸エステルを含む界面活性剤を含有することで、ふっくら感が高まるとともに、肌さわりの良さに優れる。
【００１８】
＜請求項７記載の発明＞
二枚重ねで一組としたティシュペーパーがポップアップ方式で折り畳まれて、ＪＩＳ  Ｓ  ３１０４に規定される一つの収納箱に収納されているティシュペーパーを収納した製品であって、
前記ティシュペーパー一枚の、米坪が１０〜１３ｇ／ｍ2であり、ＪＩＳ  Ｐ  ８１４１に準じて幅２５ｍｍ、吸水時間６０秒の条件で測定したクレム吸水度の縦横平均値が１０ｍｍ以上であり、かつ、次記の（Ｂ）の条件を満たすことを特徴とするティシュペーパーを収納した製品。
（Ｂ）人工皮革により構成した接触平面にオリーブオイルを均一に塗布し測定した摩擦係数の平均偏差で表される表面特性の縦横平均が、０．０７５以下であること。
【００１９】
（作用効果）
請求項１記載の発明と同様の作用効果を奏する。
【００２０】
＜請求項８記載の発明＞
（Ｂ）の条件が、
人工皮革により構成した１０ｍｍ四方の接触平面にオリーブオイル４ｍｇを均一に塗布し、この接触平面全体を５０ｇ／ｃｍ2の接触圧で、人工皮革により構成した水平測定面上に固定した紙試料に接触させ、この状態で前記紙試料に移動方向に２０ｇ／ｃｍの張力を与えつつ前記接触平面の長さ方向または幅方向と直交する方向に、０．１ｃｍ／秒の速度で前記紙試料を前記水平測定面ごと２ｃｍ移動させたときの摩擦係数の平均偏差で表される表面特性の縦横平均が、０．０７５以下であること、
である請求項７記載のティシュペーパーを収納した製品。
【００２１】
（作用効果）
請求項２記載の発明と同様の効果を奏する。
【００２２】
＜請求項９記載の発明＞
一枚のティシュペーパーを、圧縮断面積２ｃｍ2の円形平面をもつ鋼板にて、圧縮荷重５０ｇｆ／ｃｍ2で前記ティシュペーパーを圧縮したときの厚みＴＭが０．０９０ｍｍ以上である請求項７または８記載のティシュペーパーを収納した製品。
【００２３】
（作用効果）
請求項３記載の発明と同様の効果を奏する。
【００２４】
＜請求項１０記載の発明＞
一枚での湿潤引張強度が、縦５０〜１５０ｃＮ／２５ｍｍ幅、横３０〜６０ｃＮ／２５ｍｍ幅であり、かつ、二枚重ねでの湿潤破裂強度が４．０ｇｆ以上である請求項７〜９の何れか１項に記載のティシュペーパーを収納した製品。
【００２５】
（作用効果）
請求項４記載の発明と同様の効果を奏する。
【００２６】
＜請求項１１記載の発明＞
一枚での乾燥引張強度が、縦２００〜４００ｃＮ／２５ｍｍ幅、横９０〜１５０ｃＮ／２５ｍｍ幅である請求項７〜１０の何れか１項に記載のティシュペーパーを収納した製品。
【００２７】
（作用効果）
請求項５記載の発明と同様の効果を奏するとともに、ポップアップ性に優れ、かつ、取り出し時の破断もなくなる。
【００２８】
＜請求項１２記載の発明＞
ティシュペーパー原紙の主原料がパルプ繊維からなり、脂肪酸エステルを含む界面活性剤を有効成分（固形分）で０．１〜１０．０ｋｇ／Ｔ添加した請求項７〜１１の何れか１項に記載のティシュペーパーを収納した製品。
【００２９】
（作用効果）
請求項６記載の発明と同様の効果を奏するとともに、滑り性が改善されてポップアップ性に優れ、かつ取り出し時の破断もなくなる。
【００３０】
【発明の実施の形態】
本発明の実施の形態を図面を参照しながら以下に詳述する。
（ティシュペーパー）
本発明のティシュペーパーは、２枚重ねで一組（２プライ）のものに関する。
本発明に係るティシュペーパーは、二枚重ね一組としたものの一枚のＪＩＳ  Ｐ  ８１２４に基づいて測定された米坪が１０〜１３ｇ／ｍ2、好適には１１．５〜１３．０ｇ／ｍ2である。米坪が、１０ｇ／ｍ2未満であると、抄造が困難となる。１３ｇ／ｍ2を超えると紙厚が増すのでコンパクト性が失われる。
【００３１】
一方、本発明に係るティシュペーパーは、二枚重ね一組としたものの一枚のＪＩＳ  Ｐ  ８１４１に準じて幅２５ｍｍ、吸水時間６０秒の条件で測定したクレム吸水度の縦横平均値が１０ｍｍ以上である。１０ｍｍ未満であると、鼻水や洟等の体液を拭き取るとき、あるいは鼻をかむときに前記体液が紙に吸収されず、使用者に不快な感じを与える。
【００３２】
他方、本発明に係るティシュペーパーは、二枚重ね一組としたものの一枚が次記の条件を満たすものである。すなわち、その条件は、人工皮革により構成した１０ｍｍ四方の接触平面にオリーブオイル４ｍｇを均一に塗布し、この接触平面全体を５０ｇ／ｃｍ2の接触圧で、基台上に人工皮革を敷き、その上に固定した紙試料を接触させ、この状態で前記紙試料に移動方向に２０ｇ／ｃｍの張力を与えつつ前記接触平面の長さ方向または幅方向と直交する方向に、０．１ｃｍ／秒の速度で前記紙試料を前記基台ごと２ｃｍ移動させたときの摩擦係数の平均偏差で表される表面特性の縦横平均が、０．０７５以下であることである。
【００３３】
ここで、ティシュペーパーを肌に直接触れる用途、特に肌の汚れなどを拭き取る用途に使用したときの使用感（滑らかさ感）は、一般的には、滑らかさの指標である表面特性ＭＭＤで表す。しかし、ＭＭＤは、皮脂の存在を考慮していないため、皮脂の分泌があまり多くない部分の拭き取り用途に使用したときの使用感（滑らかさ感）との相関はあるものの、多量の皮脂が存在する鼻周りなどを拭き取るときあるいは鼻をかむときの使用感（滑らかさ感）とは必ずしも相関しない。そこで、本発明においては、上述のように滑らかさの測定に、ティシュペーパーと肌との摩擦に関連する皮脂の主成分であるトリグリセリドと同様の特性のオリーブオイルと、実際の人の肌に近い特性の人工皮革を用いて、表面特性ＭＭＤと類似の測定を行なうようにし、皮脂の分泌量の多い部位、例えば鼻の周りの拭き取りや鼻かみ時の肌触り感（滑らかさ感）の指標となる表面特性を測定することとした。そして、本発明者らは、この方法により測定される表面特性が０．０７５より大きいと、鼻をかむときのティシュペーパーの肌触り感（滑らかさ感）が悪くなることを知見した。
【００３４】
この本発明における表面特性の測定については、図１〜３を参照しながら説明する。この表面特性の測定は、通常のＭＭＤ試験機、例えば、カトーテック株式会社製の摩擦感テスター（ＫＥＳ ＳＥ）の基台上に人工皮革（サプラーレ：旭化成）を敷いて固定するとともに、測定端子を人工皮革（サプラーレ：旭化成）にて被覆し、その測定端子の測定面の人工皮革で被覆された部分（接触平面）にオリーブオイル（ＢＯＳＣＯエクストラバージンオイル：日清精油）４ｍｇを均一に塗布し、ＭＭＤの測定手順と同様にして測定を行なうことができる。詳細には、本発明にかかる人工皮革で構成される接触平面は、横断面直径０．５ｍｍのピアノ線からなり、先端の曲率半径が０．２５ｍｍの単位膨出部を隣接して有し、全幅が１０ｍｍの連続した測定面を有し、その測定面の長さが１０ｍｍとされるほぼ１０ｍｍ四方の測定面を有するＭＭＤ測定用端子を、前記人工皮革で被覆して形成することができる。人工皮革による前記端子の被覆は、１０ｍｍ四方の接触平面が形成されるように端子の測定面に対して人工皮革がぴったりと接触するように、あるいは若干の張力をもたせてぴったりと被覆することにより達成できる。人工皮革を端子に固定するにあたっては、測定時、すなわち紙試料を移動させたときに人工皮革と内部の端子とがずれて人工皮革により構成される接触平面に歪みなどが生じないようにしっかりと固定することが重要である。固定は例えば、前記接触平面が構成されるように前記端子を被覆したのち、接触平面を構成しない部位を輪ゴム等で装置の測定に影響が出ない部位、例えば端子の支持材等にしっかり固定する。また、ＭＭＤ試験機の基台上には人工皮革を敷いて接着テープ等で固定する。このとき、測定時に歪まないように基台に人工皮革をしっかりと固定することが重要である。また、基台上に敷く人工皮革は、前記接触平面を構成する人工皮革と同じものを用いる。なお、紙試料は、１０ｃｍ四方に裁断して用い、人工皮革を敷いた基台に固定する。測定に際しては、紙試料の上に試料押さえ用錘（約１００ｇ）で押さえる。また、試験機の測定端子への荷重を５０ｇとして人工皮革で構成される接触平面全体が５０ｇ／ｃｍ2の接触圧で紙試料に接触するようにするが、これは、ＭＭＤ測定と同様に、円盤状の錘を端子上部に取り付けることで達成できる。もちろん、支持材の一方の端部（紙試料の移動方向と反対の端部）の固定の仕方はＭＭＤの測定に準ずる。
【００３５】
測定は紙試料の縦方向について３回、横方向について３回の計６回を行い、測定値についてはその６回の平均値とする。なお、人工皮革およびオリーブオイルについては同等品で代替することもできる。
【００３６】
他方、本発明に係るティシュペーパーは、二枚重ね一組としたものの一枚の圧縮断面積２ｃｍ2の円形平面をもつ鋼板にて、圧縮荷重５０ｇｆ／ｃｍ2で前記ティシュペーパーを圧縮したときの厚みＴＭを０．０９０ｍｍ以上とするのが望ましい。
【００３７】
具体的には、厚みＴＭは、カトーテック株式会社製「ハンディー圧縮試験機  ＫＥＳ−Ｇ５」を用い、鋼板で形成された水平な台座上にティシュペーパーを敷き、そのほぼ中心に圧縮面積２ｃｍ2の円形平面をもつ鋼板を当接させ、前記円形平面を持つ鋼板を速度１０ｍｍ／分で鉛直下方に移動させて圧縮荷重５０ｇｆ／ｃｍ2で圧縮し、押し込みが安定した状態での測定した厚みである。
【００３８】
また、二枚重ね一組での紙厚は９０〜１２０μｍ、好適には９４〜１１２μｍとするのが望ましい。紙厚が薄いと、使用者が感じる紙薄感が顕著になり、また、吸水性に劣りティシュペーパーとしての機能も低下する。さらに、コスト的および技術的な観点から製造も困難である。過度の紙厚とすると所定枚数を収納箱に収めて製品としたときの引き出し性に劣るようになる。前記紙厚の測定は、ＪＩＳ  Ｐ  ８１１８の規定に準じ、ＪＩＳ  Ｐ  ８１１１の条件下で、シチズン時計株式会社製の紙厚測定機「ＭＥＩ−１０Ｂ」を用いて測定する。具体的には、プランジャーと測定台の間にゴミ、チリ等がないことを確認してプランジャーを測定台の上におろし、ゲージのメモリを移動させてゼロ点を合わせ、次いで、プランジャーを上げて試料（ティシュペーパー）を試験台の上におき、プランジャーを下ろしそのときのゲージを読み取る。なお、測定は１０回の平均値とする。
【００３９】
その他、本発明に係るティシュペーパーは、ＪＩＳ  Ｓ  ３１０４に規定される、引張り強さ、白色度の範囲とするのが望ましい。
【００４０】
上記ティシュペーパーは、各種製造条件を選定することで得ることができる。ちなみに、たとえば圧縮特性は、原料のＬＢＫＰとＮＢＫＰの配合比率とパルプの種類（繊維粗度、あるいは原料となる樹木の種類や樹齢）、叩解度、抄紙水分、カレンダー間隙・圧力・材質、界面活性剤の添加及びその量などにより調整することが可能である。パルプは、古紙パルプを配合しないものが望ましい。
【００４１】
柔らかさ曲げ特性は、引張強度、縦横比、クレープ形状（クレープ率、クレープの高低差等）、水分率、密度、紙力剤の添加、界面活性剤の添加及びその量等により調整することが可能である。
【００４２】
表面特性は、パルプ配合、カレンダー条件、抄紙水分、ドクターの刃先角度、ブレード角度、接着・剥離強度のバランス、クレープ率、界面活性剤の添加及びその量などにより調整することが可能である。
【００４３】
（ティシュペーパーを収納した製品）
次いで、本発明にかかるティシュペーパーを収納した製品について説明する。
本発明に係るティシュペーパーは、収納箱の高さの外寸が５５．５〜６４．５ｍｍである汎用タイプの収納箱に収めて使用するのに特に好適である。この場合、一般的な収納箱への収め方に従って、いわゆる二枚重ねで一組としたティシュペーパーをポップアップ方式で折り畳んで、収めるのが望ましい。
【００４４】
二枚重ねでの嵩密度が０．１３ｇ／ｃｍ3未満（より望ましくは０．１１〜０．１３ｇ／ｃｍ3未満）とするのが望ましい。嵩密度とは、（米坪×ティシュペーパー面積×組数×２）／収納箱内容積として定義されるものである。
【００４５】
また、（ウェブ嵩）／（ＪＩＳ紙厚×組数×２）の比率が１．５以下（より望ましくは１．３〜１．５）、かつ、（ＪＩＳ紙厚×組数×２）／（収納箱高さ）の比率が０．７０以下（より望ましくは０．５５〜０．７０）であるのが望ましい。
【００４６】
本発明にかかるティシュペーパーを収納した製品においては、収納箱上面の長辺方向のシート長さに対する、取り出し口のスリット長の比率が７５〜８５％であり、前記シート長さに対する、収納箱上面の短辺方向のシート巾の比率が７５〜９０％であるのが望ましい。
【００４７】
本発明に係るティシュペーパーを収納した製品は、図４および図５に示されるように、上記（ティシュペーパー）の欄で説明されている二枚重ねで一組としたティシュペーパーが、いわゆるポップアップ方式で折り畳まれて、所定の収納箱にＪＩＳ  Ｓ  ３１０４に規定される一箱に収納される枚数、たとえば１８０組３６０枚、または場合により１８８組３７６枚が収納されている汎用タイプのものである（以下、これをティシュペーパー製品という）。２００組４００枚のものも採用できる。ポップアップ方式での折り畳みについては、既知の技術であるので詳述はしない。
【００４８】
一方、本発明にかかるティシュペーパー製品は、前記収納箱の高さの外寸を５５．５〜６４．５ｍｍとするのが望ましい。ソフトタイプで主流の持ち運び性や収納性に欠ける６５ｍｍ以上のものよりは低く、現在汎用タイプのものに主流の取り出し性や紙薄感が低下している５０ｍｍより高くすることで、持ち運び性や収納性を犠牲にせず、紙薄感や取り出し性を向上させることができる。
【００４９】
ここで、本発明にかかるティシュペーパー製品においては、収納箱の高さの外寸を上記のようにした場合に、好適にティシュペーパーが取り出せるように、取り出し口の形状を工夫するのが望ましい。具体的には、例えば、図４および図５に示すとおり、収納箱１の上面に形成された窓１Ａを開口部となるスリット２Ａを有するシート２が内側から覆っており、内部のティシュペーパー３を順次前記スリット２Ａを通して取り出すようにする。ここに窓１Ａは、箱１の上面にミシン目などの切りこみ目が予め形成され、その切りこみ目で囲まれる部分を剥ぎ取ることにより、形成される公知の構成のものとすることができる。
【００５０】
前記シート２は、窓１Ａのサイズより大きく、例えば図示のように方形とし、箱１の上面に内側より接着剤により接着する一般的な方法で形成すればよい。また、シート２として、一般的な収納箱と同様にポリエチレンフィルムシートを用いることができ、コスト的にはこれを用いるのが望ましい。ただし、これに代えて、坪量が１０〜３５ｇ／ｍ2であり、合成繊維または化学繊維を混抄した合成紙、あるいは不織布からなるシートを用いることもできる。合成繊維または化学繊維としては、レーヨン、アセテート、ビニルアセテートが好適であり、さらにリサイクル化をある程度無視すれば、ポリエチレン、ポリプロピレン、ポリエステルなども使用可能である。他方、不織布としては、形態の面からはエアースルー不織布、ポイントボンド不織布、メルトブロー不織布、スパンボンド不織布などを用いることができる。材質的には、ポリエチレン、ポリプロピレン、ポリエステル、パルプなどを例示できる。坪量は、１０ｇ／ｍ2未満では、強度的に不足し、ティシュペーパー３の取り出し時において裂けあるいは破断の確率が高くなる。逆に、３５ｇ／ｍ2を超えると、強度の問題はないものの、コスト高となるばかりでなく、取り出し時のノイズが大きくなる傾向にある。
【００５１】
シート２に形成するスリット２Ａは、シート２を箱１の上面内側へ接着した状態において、窓１Ａの幅方向中央部に（箱１の長手方向（ティシュペーパー３の横方向）と沿うように形成した一般的な収納箱の形態と同様である。本発明にかかるティシュペーパー製品では、スリット２Ａの長さＬは、図１の（ａ）に示すように、窓１Ａの長手方向全長より短くすることが望ましいが、図１の（ｂ）に示すように、窓１Ａの長手方向全長と同じ長さにすることも、さらに、図１の（ｃ）に示すように、シート２の横方向長さより短い条件の下で、窓１Ａの長手方向全長より長くすることもできる。
【００５２】
スリットは図１の（ａ）の形態で形成するのが望ましく、そのスリット長さＬは、１７５ｍｍ〜１８５ｍｍが望ましい。前記スリット２Ａの長さＬは、ティシュペーパーの特徴を考慮して破断を防止する観点から、前述のように、収納箱１上面の長辺方向のシート長さに対する比率が７５〜８５％であり、特に７６〜８５％とするのが望ましい。
【００５３】
一方、本発明にかかるティシュペーパー製品は、（収納箱の高さの外寸）／（ティシュペーパーの全面積）で表される高さ方向密度の値を２．９０〜５．６０ｍｍ／ｍ2とするのが望ましい。好適には３．４０〜４．００ｍｍ／ｍ2とするのが望ましい。このように、高さ方向密度の値を上記の値とすることにより、取り出し性に優れるようになる。
【００５４】
ここで、本発明にいうティシュペーパーの大きさとは、ＪＩＳ  Ｓ  ３１０４にいうティシュペーパーの一枚の大きさ（ティシュペーパーの（縦）×（横）で表される面積）と同義であるが、数値はＪＩＳ  Ｓ  ３１０４に規定される範囲に限定されるものではない。もちろん、ＪＩＳ  Ｓ  ３１０４に規定される紙の一枚の大きさの範囲内であってもよく、この範囲であるのが望ましい。特に好適な大きさは、４５０ｃｍ2でかつ縦が１９７ｍｍ前後、横が２２９ｍｍ前後である。
【００５５】
なお、本発明は、ティシュペーパーの大きさが任意であるから、収納箱の高さ以外の大きさすなわち、長さと幅についても任意となるが、一般的な市販形態や収納性や持ち運び性を考慮すれば、収納箱の好適な長さは２４０±２５ｍｍ、幅は１１５±２５ｍｍである。
【００５６】
ここで、ティシュペーパーの引き出し性について詳述すると、図５に示すように、ティシュペーパー３を収納箱１から取り出すに際しては、ティシュペーパー３の側縁近傍の中央部における摘み部３Ｔを持って引き上げる。このとき、ティシュペーパー３の横方向端部が、引き上げに伴って徐々にスリット２Ａの両端２ａ，２ｂに集まる。集まったティシュペーパー３が、スリット２Ａの両端２ａ，２ｂに引っ掛かりながら引き上げ動作がなされるため、いま引き上げ動作を行なっているティシュペーパーに対して、摘み部３Ｔとスリット２Ａの両端２ａ，２ｂとを結ぶ部分に集中的に引張力Ｆ，Ｆが働く。特に取り出し動作の後半段階では、折り重ねによって後続のティシュペーパーも引き上げるための力も必要となり、その分の引張力が加算される。ティシュペーパーに作用する引張力Ｆについて、補足説明すると、取り出し時の前半では、Ｘ（ティシュペーパーの横方向端部をスリット２Ａの両端２ａ，２ｂに集める力：後続のティシュペーパーとの摩擦力に抗して分離するための力も含まれる）＋Ｙ（ティシュペーパー３とスリット２Ａの両端２ａ，２ｂとの摩擦力に抗して引き上げる力）であり、後半では、ほぼＸ＋Ｙに対して、Ｚ（折り重ねによって後続のティシュペーパーも引き上げるための力）も加算される。ティシュペーパーにおいては、この摘み部３Ｔとスリット２Ａの両端２ａ，２ｂとを結ぶ引張力Ｆは、ティシュペーパー３の引き出し方向への破断力として作用する。本発明にかかるティシュペーパー製品は、ティシュペーパー一枚の乾燥引張強度を、縦２００〜４００ｃＮ／２５ｍｍ幅、横９０〜１５０ｃＮ／２５ｍｍ幅としたので、ティシュペーパー３は破断が生ずることがない。
【００５７】
（ティシュペーパーおよびティシュペーパーを収納した製品の製造方法）
本実施の形態に係るティシュペーパーおよびティシュペーパー製品は既知の設備および常法により製造することができる。すなわち、原料パルプを抄紙機で抄紙するとともにクレープ処理し、カレンダー処理を施し、インターホルダーにてポップアップ方式に折り畳み、所定の大きさに裁断して収納箱に収納して製造することができる。
【００５８】
各処理について詳述すれば、抄紙工程では本発明の米坪の範囲となるように原料パルプおよび抄紙条件を調整する。このとき原料パルプの叩解幅を狭めて高密度化する。このように米坪を規定して高密度化すると、紙力は高まるが紙厚および柔らかさの低下の原因となる。
【００５９】
そこで、クレープ処理工程では、柔らかさおよび肉厚感の指標となる厚みの変位差が本発明の範囲となるように、クレープ率、クレープの刃先角度を調整することで達成できる。
【００６０】
【数１】
2004089492.tif 000001
【００６１】
また、カレンダー処理工程では、紙厚が過度に低下して本発明の紙厚の範囲から外れないようにオンラインマシンカレンダーおよびプライマシンカレンダーの各カレンダー処理における圧力を調整してカレンダー処理する。プライマシンカレンダー処理により、抄紙原紙は二枚重ね一組にされる。
【００６２】
このようにしてティシュペーパー原紙を製造する。そしてこのティシュペーパー原紙をインターホルダーにて後にポップアップ方式となるように交互に折り重ねる。このとき、収納箱の大きさ特に高さおよび裁断後のティシュペーパーの大きさを考慮してインターホルダーのプルコンベア圧力を調整する。その後、所定の大きさに裁断して、収納箱に収納して本発明のティシュペーパー製品が製造される。また、製品におけるティシュペーパー取り出し時の上方向への最大抵抗値は９０ｃＮである。
【００６３】
なお、前記原料パルプとしては、好ましくは１００％木材パルプからなるものである。この場合、ＮＢＫＰ：ＬＢＫＰの割合としては、１０：９０〜７０：３０、好適には５０：５０〜９３：７、特に好適には、６５：３５〜６９：３１である。ＮＢＫＰの割合が高いほど、柔軟性を得ることができるので好ましい。
【００６４】
【実施例】
市販の製品（比較例１〜６）、約１年前までは市販されていた旧製品（参考例）と本発明に係る製品（実施例１〜３）とに関し、各物性を調査した。その結果を表１〜表３に示す。
【００６５】
【表１】
2004089492.tif 000002
【００６６】
【表２】
2004089492.tif 000003
【００６７】
【表３】
2004089492.tif 000004
【００６８】
ここで、実使用評価及び官能評価は、成人３０名に対し、「取り出し易さ」「鼻かみ時の肌触りの良さ」（滑らかさ感）、「ふんわりした厚み感」、「鼻かみ時の丈夫さ」、「コンパクト性」の各項目について、最も良いもの：５点、良いもの：４点、普通：３点、悪いもの：２点、最も悪いもの：１点の５段評価を行い、その平均点が４．０以上を◎、３．０〜４．０未満を○、２．０〜３．０未満を△、１．０〜２．０未満を×としてあらわしたものである。
【００６９】
＜考察＞
本発明の実施例に係る製品は、市販品及び旧製品との比較において、いずれの官能評価項目においても十分な評価がなされていることからして、本発明の実施例に係る製品の区別化は明確である。そして、市販品及び旧製品に比較して、優れた特性を示すものとなる。さらに、この試験の実評価において、他の汎用タイプの評価が低いのに対し、本実施例およびソフトタイプは同様の高い評価が得られている。従って、本発明にかかる表面特性試験は鼻かみ時の肌触り感（滑らかさ感）との相関が示されたといえる。
【００７０】
【発明の効果】
以上、詳述のとおり、本発明によれば、安価な汎用のティシュペーパーにおいて、従来の安価であることやコンパクトにしやすいという利点を損なわずに、洟を拭くときなどに使用するさいの使用者の肌触り感等が高められる。
【図面の簡単な説明】
【図１】
本発明にかかる表面特性の測定装置の例の概略を示す図である。
【図２】
その測定端子および測定時の概略を示す図である。
【図３】
本発明にかかる接触平面の構成を説明するための図である。
【図４】
収納箱の開口部を示す正面図である。
【図５】
ティシュペーパーの取り出しを説明するための斜視図である。
【符号の説明】
１…収納箱、１Ａ…窓、２…シート、２Ａ…スリット、３…ティシュペーパー、Ｌ…スリットの長さ。